(57)【要約】      （修正有）【課題】複数のはんだバンプが二次元的に配設された面を有する電子部品を適切にはんだ付けすることができる電子部品実装用基板を提供する。【解決手段】その表面一定領域に二次元的に配置された複数のはんだバンプ接合用ランド１２を有する基板であって、前記複数のはんだバンプ接合用ランド１２は異なるサイズのランドを含むことを特徴とする電子部品実装用基板１０。例えば、前記複数のはんだバンプ接合用ランドは、複数のはんだバンプが二次元的に配置された面を有する電子部品の接合用ランドである。また、例えば、前記電子部品は、フリップチップにおいてバンプ接続されるチップ、ＢＧＡ（Ｂａｌｌ  Ｇｒｉｄ  Ａｒｒａｙ）またはＣＳＰ（Ｃｈｉｐ  Ｓｉｚｅ  Ｐａｃｋａｇｅ）構造の半導体パッケージである。【選択図】  図３
2007149828.tif 000002
【特許請求の範囲】
【請求項１】
その表面一定領域に二次元的に配置された複数のはんだバンプ接合用ランドを有する基板であって、
前記複数のはんだバンプ接合用ランドは異なるサイズのランドを含むことを特徴とする電子部品実装用基板。
【請求項２】
前記複数のはんだバンプ接合用ランドは、複数のはんだバンプが二次元的に配置された面を有する電子部品の接合用ランドであることを特徴とする請求項１に記載の電子部品実装用基板。
【請求項３】
前記電子部品は、フリップチップにおいてバンプ接続されるチップ、ＢＧＡ（Ｂａｌｌ  Ｇｒｉｄ  Ａｒｒａｙ）またはＣＳＰ（Ｃｈｉｐ  Ｓｉｚｅ  Ｐａｃｋａｇｅ）構造の半導体パッケージであることを特徴とする請求項２に記載の電子部品実装用基板。
【請求項４】
前記複数のはんだバンプ接合用ランドを格子状に配置したことを特徴とする請求項２または３に記載の電子部品実装用基板。
【請求項５】
あるランド列を構成する各ランドがこれに隣接するランド列を構成する二つのランドの中間に位置するように、前記複数のはんだバンプ接合用ランドを配置したことを特徴とする請求項１から３のいずれかに記載の電子部品実装用基板。
【請求項６】
前記表面一定領域の中心から周囲に向かうにつれてバンプ接合用ランドのサイズを大きくしたことを特徴とする請求項１から５のいずれかに記載の電子部品実装用基板。
【請求項７】
前記表面一定領域の周囲に比較的大きいサイズのバンプ接合用ランドを配置したことを特徴とする請求項１から５のいずれかに記載の電子部品実装用基板。
【発明の詳細な説明】
【技術分野】
【０００１】
本発明は、電子部品実装用基板に係り、特に複数のはんだバンプが二次元的に配設された面を有する電子部品が実装される基板に関する。
【背景技術】
【０００２】
従来、複数のはんだバンプ（はんだボールと呼ばれることもある）が二次元的に配置された面を有する電子部品として、フリップチップにおいてバンプ接続されるチップや、ＢＧＡ（Ball Grid Array）や、はんだバンプがＢＧＡよりもさらに狭ピッチで配置されたＣＳＰ（Chip Size Package）などが知られている（特許文献１）。なお、バンプ形成のための技術としてはＣ４（controlled collapsed chip connection）などが知られている。
【０００３】
複数のはんだバンプが二次元的に配置された面を有する電子部品は、一般的に、リフローと呼ばれる工程を経て基板表面に接合される。リフローとは、電子部品のはんだバンプと基板表面に設けられたランド（通常、基板表面にクリームはんだにより印刷される）とを接触させ、全体的に（あるいはスポット的）に基板を加熱し、これによりバンプ等を溶融させてはんだ付け（接合）する工程をいう。
【０００４】
はんだバンプと基板との平坦度（コプラナリティ）（あるいはバンプ高さの平坦度）が保たれている状態で加熱される限り、すべてのはんだバンプにおいて適切にはんだ付けされるはずであるが、実際には、リフロー時の加熱（熱膨張）等による基板の反り（あるいははんだバンプ高さの不均一）などに起因して、適切にはんだ付けされない（接合不良）はんだバンプも存在する。
【０００５】
本出願の発明者は、接合不良のはんだバンプが中央または中央付近に比べて周囲に多い点に着目した。そして、本出願の発明者は、周囲における接合不良は主に基板の反りに起因するものであり、周囲のランドサイズを中央または中央付近のランドサイズよりも大きくすれば、周囲のランドに対するはんだバンプ溶融時の表面張力（セルフアライメント効果）も大きくなって、反った基板を平坦に戻そうとする力が作用するから、周囲においても良好なはんだ付けを実現できるとの着想を得た。
【特許文献１】特開２００１−６８５９４号公報
【発明の開示】
【発明が解決しようとする課題】
【０００６】
本発明の課題は、複数のはんだバンプが二次元的に配設された面を有する電子部品の各はんだバンプにおける適切なはんだ付けを実現するための技術を提供することにある。
【課題を解決するための手段】
【０００７】
本発明は、上記課題を解決するためになされたものであり、次の構成を採る。
【０００８】
その表面一定領域に二次元的に配置された複数のはんだバンプ接合用ランドを有する基板であって、前記複数のはんだバンプ接合用ランドは異なるサイズのランドを含むことを特徴とする電子部品実装用基板。
【０００９】
本発明によれば、はんだバンプ接合用ランドは異なるサイズのランドを含むから、比較的大サイズのランドに対するはんだバンプ溶融時の表面張力（セルフアライメント効果）が大きくなる。すなわち、この基板に実装される電子部品の実装精度を高めることが可能となる。
【００１０】
上記電子部品実装用基板においては、例えば、前記複数のはんだバンプ接合用ランドは、複数のはんだバンプが二次元的に配置された面を有する電子部品の接合用ランドである。
【００１１】
これは、バンプ接合用ランドの例示である。このような電子部品としては、フリップチップにおいてバンプ接続されるチップ、ＢＧＡ（Ｂａｌｌ  Ｇｒｉｄ  Ａｒｒａｙ）またはＣＳＰ（Ｃｈｉｐ  Ｓｉｚｅ  Ｐａｃｋａｇｅ）構造の半導体パッケージなどが考えられる。要は、複数のはんだバンプが二次元的に配置された面を有する電子部品であればよい。
【００１２】
上記電子部品実装用基板においては、例えば、前記複数のはんだバンプ接合用ランドを格子状に配置したり、あるいは、あるランド列を構成する各ランドがこれに隣接するランド列を構成する二つのランドの中間に位置するように、前記複数のはんだバンプ接合用ランドを配置することが考えられる。
【００１３】
これは、はんだバンプ接合用ランドの配置例である。
【００１４】
上記電子部品実装用基板においては、例えば、前記表面一定領域の中心から周囲に向かうにつれてバンプ接合用ランドのサイズを大きくする。
【００１５】
このように周囲のランドサイズを中央または中央付近のランドサイズよりも大きくすれば、周囲のバンプ接合用ランドに対するはんだバンプ溶融時の表面張力（セルフアライメント効果）も大きくなって、反った基板を平坦に戻そうとする力が作用するから、周囲においても良好なはんだ付けを実現することが可能となる。
【００１６】
上記電子部品実装用基板においては、例えば、前記表面一定領域の周囲に比較的大きいサイズのバンプ接合用ランドを配置する。
【００１７】
このように周囲に比較的大きいサイズのバンプ接合用ランドを配置すれば、周囲のバンプ接合用ランドに対するはんだバンプ溶融時の表面張力（セルフアライメント効果）も大きくなって、反った基板を平坦に戻そうとする力が作用するから、周囲においても良好なはんだ付けを実現することが可能となる。
【発明の効果】
【００１８】
本発明によれば、複数のはんだバンプが二次元的に配設された面を有する電子部品の各はんだバンプにおける適切なはんだ付け（接合）が可能となる。
【発明を実施するための最良の形態】
【００１９】
以下、本発明の一実施形態である電子部品実装用基板について図面を参照しながら説明する。
【００２０】
図１は、本発明の一実施形態である電子部品実装用基板１０を説明するための図（平面図）である。図２は、図１に示す基板１０に電子部品２０を実装してＡ−Ａ´で切断した断面を表す断面図である。
【００２１】
本実施形態の電子部品実装用基板１０は、図２に示すように、その表面１０ａに、複数のはんだバンプ（以下単にバンプともいう）２１が二次元的に配置された面２０ａを有する電子部品２０が実装されるフレキシブル基板等の各種基板である。図１に示すように、電子部品実装用基板１０は、その表面１０ａ一定領域１１に二次元的に配置された複数のはんだバンプ接合用ランド（以下単にランドともいう）１２を備えている。この複数のランド１２は、異なるサイズのランドを含んでいる（図１では、三つのサイズのランド１２ａ、１２ｂ、１２ｃを例示）。なお、三つのサイズに限らず、図５に示すように、二つのサイズのランド１２ａ、１２ｃを配置することも考えられるし、四つ以上のサイズのランドを配置することも考えられる。
【００２２】
複数のランド１２は、電子部品２０の各バンプ２１が接合される領域であって、基板表面１０ａにクリームはんだで印刷されるか、あるいは銅箔等の金属材料により形成される。
【００２３】
ランド１２の配置パターンについては各種のパターンが考えられる。
【００２４】
例えば、図１に示すように、表面１０ａ一定領域１１の周囲にのみ、各ランド１２を配置することが考えられる。
【００２５】
あるいは、図３、図５に示すように、格子状に配置することも考えられる。
【００２６】
あるいは、図４、図６に示すように、あるランド列を構成する各ランド（図４では二つのランド１２ｂを例示、図６では二つのランド１２ａを例示）がこれに隣接するランド列を構成する二つのランド（図４、図６では三つのランド１２ｃを例示）の中間に位置するように、各ランド１２を配置することも考えられる。
【００２７】
また、図１に示すように、各ランド１２をランド１２ａ、１２ｂ、１２ｃのように繰り返して配置することも考えられるし、図３、図５に示すように、表面１０ａ一定領域１１の中心から周囲に向かうにつれてランド１２のサイズを大きくすることも考えられる。
【００２８】
なお、各図において、各ランド１２の配置間隔は、各バンプ２１の配置間隔と等しくなっている。
【００２９】
電子部品２０としては、複数のはんだバンプ（はんだボールと呼ばれることもある）２１が二次元的に配設された面２０ａを有する部品、例えば、フリップチップにおいてバンプ接続されるチップや、ＢＧＡ（Ball Grid Array）構造の半導体パッケージや、はんだバンプがＢＧＡよりもさらに狭ピッチで配設された面を有するＣＳＰ（Chip Size Package）構造の半導体パッケージなどがある。
【００３０】
バンプ２１の配置パターンについては各種のパターンが考えられる。
【００３１】
一般的には、ランド１２の配置パターンと同一または類似のパターンで配置されている。
【００３２】
次に、以上のように構成される電子部品実装用基板１０に電子部品２０を実装する工程（リフロー）について簡単に説明する。
【００３３】
まず、電子部品２０の各バンプ２１と基板表面１０ａ一部領域１１に配置されたランド１２とを接触させて、全体的に（あるいはスポット的に）基板１０を加熱し、これによりバンプ２１等を溶融させてはんだ付け（接合）する。これにより電子部品２０が実装される。
【００３４】
以上説明したように、本実施形態の電子部品実装基板１０によれば、周囲のランド１２のランドサイズを比較的大きくしたので、周囲のランド１２に対するはんだバンプ溶融時の表面張力（セルフアライメント効果）も大きくなって、反った基板を平坦に戻そうとする力が作用するから、周囲においても良好なはんだ付けを実現することが可能となる。
【００３５】
なお、ランド１２は、電子部品２０が有するはんだバンプ２１と同数設けてもよいし、あるいは必要なバンプ２１に対応した数のみ設けてもよい。
【００３６】
次に変形例について説明する。
【００３７】
上記実施形態においては、比較的大きいサイズのバンプ１２を周囲に配置するように説明したが本発明はこれに限定されない。例えば、図３においては、表面１０ａ一定領域１１の中心から周囲に向かうにつれてランド１２のサイズを大きくしてあるが、このような規則によらずに、各サイズのバンプをランダムに配置するようにしてもよい。
【００３８】
このようにすれば、比較的大サイズのランド１２ｂ、１２ｃに対するはんだバンプ溶融時の表面張力（セルフアライメント効果）が大きくなる。すなわち、この基板１０に実装される電子部品２０の実装精度を高めることが可能となる。
【００３９】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【００４０】
【図１】本発明の一実施形態である電子部品実装用基板を説明するための平面図である。
【図２】図１に示す基板１０に電子部品２０を実装してＡ−Ａ´で切断した断面を表す断面図である。
【図３】基板１０におけるランドの配置例を説明するための図である。
【図４】基板１０におけるランドの配置例を説明するための図である。
【図５】基板１０におけるランドの配置例を説明するための図である。
【図６】基板１０におけるランドの配置例を説明するための図である。
【符号の説明】
【００４１】
１０…電子部品実装用基板、１０ａ…表面、１１…実装領域、１２…ランド、２０…電子部品、２０ａ…面、２１…バンプ
【図１】
2007149828.tif 000003
【図２】
2007149828.tif 000004
【図３】
2007149828.tif 000005
【図４】
2007149828.tif 000006
【図５】
2007149828.tif 000007
【図６】
2007149828.tif 000008